(57)【要約】【課題】上下回動式のトラップ部による節水機能を低下させずに、従来のものに比べて汚物の搬送距離を延ばした水洗便器を提供する。【解決手段】この課題を解決するために、水を溜めるボウル部１と、ボウル部１の底部２に形成されボウル部１内の水を排出する排水口１０と、ボウル部１内に洗浄水を供給する洗浄水供給部と、排水口１０に上端部が連なり下流端が側方に開口した排水筒２０と、排水筒２０の下流端に接続された上下回動式のトラップ部３０と、を備え、底部２の前底面３が排水口１０に向けて下向き傾斜し、底部２の後底面４が、排水口１０に向けて下向き傾斜すると共に前方開口縁１１より上方に位置し、該後底面４が汚物４０を受ける水跳ね防止部５となり、排水筒２０の前方開口縁１１に連なる内面が、下流側に向けて下向き傾斜した傾斜面２１となると共に、該傾斜面２１の傾斜角が前底面３の傾斜角より大きいものとした。【選択図】図１
2012172340.tif 000002
【特許請求の範囲】
【請求項１】
水を溜めるボウル部と、前記ボウル部の底部に形成され前記ボウル部内の水を排出する排水口と、前記ボウル部内に洗浄水を供給する洗浄水供給部と、前記排水口に上端部が連なり下流端が側方に開口した排水筒と、前記排水筒の前記下流端に接続された上下回動式のトラップ部と、を備え、
前記底部の前記排水口の前方開口縁に連なる前底面が、前記排水口に向けて下向き傾斜し、
前記底部の前記排水口の後方開口縁に連なる後底面が、前記排水口に向けて下向き傾斜すると共に前記前方開口縁より上方に位置し、該後底面が汚物を受ける水跳ね防止部となり、
前記排水筒の前記前方開口縁に連なる内面が、下流側に向けて下向き傾斜した傾斜面となると共に、該傾斜面の傾斜角が前記前底面の傾斜角より大きいものであることを特徴とする水洗便器。
【発明の詳細な説明】
【技術分野】
【０００１】
本発明は、上下回動式のトラップ部を備えた水洗便器に関するものである。
【背景技術】
【０００２】
従来から、上方に開口し水を溜めるボウル部と、ボウル部内の水と共に汚物を外部の下水管に排出する排水部と、を備えた水洗便器において、排水部が上下回動式のトラップ部を有した所謂ターントラップ式のものがある（例えば、特許文献１等参照）。
【０００３】
従来のターントラップ式のものでは、図２に示すように、排水部が、上下回動式のトラップ部８３に加え、ボウル部７１の底部７２に連なる排水筒８０と、を有している。該排水筒８０は後方（側方）に下流端が開口すると共に、該下流端にトラップ部８３が接続されている。そして、ボウル部７１は、排水筒８０の下方側の内面８１に連なる底部７２の前底面７３と、排水筒８０の上方側の内面８２に連なる底部７２の後底面７４と、が夫々下向きに傾斜している。更に、前底面７３は排水筒８０の下方側の内面８１と略同じ傾斜角で略面一に連続しており、緩やかに傾斜した連続面７８となっている。
【０００４】
また、後底面７４は傾斜下端周辺が前底面７３より上方に位置し、該部位が、ボウル部７１内の水の跳ね返りを抑えて汚物４０を受ける水跳ね防止部７５となっている。該水跳ね防止部７５は、水跳ねを防止して受けた汚物４０を、水跳ね防止部７５の前方に位置する連続面７８の前下方位置に落下させるものとなっている。
【０００５】
そして、水跳ね防止部７５から落下した汚物４０は、トラップ部８３が回動して排水状態に切り替わるまで、該前下方位置に留まり、排水状態に切り替わると、排水部及びボウル部７１内の水と共に下水管に排出される。
【０００６】
ところで、汚物４０の排出において、汚物４０の搬送距離は、図３に示すように、汚物４０を基準に、汚物４０より下流側の水５２に比べて、汚物４０より上流側の水５１の影響を強く受けており、上流側の水５１が多い程搬送距離が長くなる。
【先行技術文献】
【特許文献】
【０００７】
【特許文献１】特開２００８−２９１５６８号公報
【発明の概要】
【発明が解決しようとする課題】
【０００８】
しかしながら、上述のような従来のものは、ボウル部の底部である水跳ね防止部の前下方位置に汚物が留まるため、排出時の汚物の搬送距離を長くするには、ボウル部を大型化する等でボウル部内の水を増加させる必要がある。そのため、搬送距離を長くすると、排出時に流す水の総量（洗浄水量）が増加してしまい、洗浄水量を低減したターントラップ式ならではの節水機能が低下するという問題がある。
【０００９】
そこで、この事情を鑑み、上下回動式のトラップ部による節水機能を低下させずに、従来のものに比べて汚物の搬送距離を延ばした水洗便器を提供することを課題とした。
【課題を解決するための手段】
【００１０】
上記課題を解決するために、本発明の水洗便器は、水を溜めるボウル部と、前記ボウル部の底部に形成され前記ボウル部内の水を排出する排水口と、前記ボウル部内に洗浄水を供給する洗浄水供給部と、前記排水口に上端部が連なり下流端が側方に開口した排水筒と、前記排水筒の前記下流端に接続された上下回動式のトラップ部と、を備え、前記底部の前記排水口の前方開口縁に連なる前底面が、前記排水口に向けて下向き傾斜し、前記底部の前記排水口の後方開口縁に連なる後底面が、前記排水口に向けて下向き傾斜すると共に前記前方開口縁より上方に位置し、該後底面が汚物を受ける水跳ね防止部となり、前記排水筒の前記前方開口縁に連なる内面が、下流側に向けて下向き傾斜した傾斜面となると共に、該傾斜面の傾斜角が前記前底面の傾斜角より大きいものであることを特徴とする。
【発明の効果】
【００１１】
このような構成としたことで、上下回動式のトラップ部による節水機能を低下させずに、従来のものに比べて汚物の搬送距離を延ばすことができる。または、上下回動式のトラップ部による節水機能を向上させ、従来のものに比べて少ない洗浄水量で汚物を搬送することができる。
【図面の簡単な説明】
【００１２】
【図１】実施形態の一例の水洗便器の要部の側断面図である。
【図２】従来の水洗便器の要部の側断面図である。
【図３】汚物の搬送距離における洗浄水の影響の説明図である。
【発明を実施するための形態】
【００１３】
以下、図面に基づいて本発明の実施形態を例示して説明する。
【００１４】
一実施例の水洗便器は、図１に示すように、内側に水を溜めるボウル部１と、ボウル部１の上方に配置された便座（図示せず）と、ボウル部１内の水を排出する排水部と、ボウル部１に洗浄水を供給する洗浄水供給部（図示せず）と、を備えている。排水部は、ボウル部１に開口して形成された排水口１０と、排水口１０に上端部が接続された排水筒２０と、前記排水筒２０の下流端に接続された上下回動式のトラップ部３０と、を有している。そのため、本水洗便器は、トラップ部３０の上下回動に伴って、排水部の封水状態と排水状態を切り替える所謂ターントラップ式のものとなっている。なお、本発明において
は、便座に着座した使用者を基準に脚側を前方とし背中側を後方とする。
【００１５】
ボウル部１は上方に開口し内側に水を溜める椀形状のものとなっており、椀の喫水線６より下方が底部２となっている。そして、底部２の中央より後方側には排水口１０が略円形状で開口すると共に、該排水口１０を介して排水筒２０が連なっている。そのため、ボウル部１の内側と排水筒２０の内側が排水口１０を介して連通すると共に、ボウル部１と排水筒２０が一体で形成された構成となっている。
【００１６】
また、底部２内面のうち、排水口１０の前方側の開口縁に連なる前底面３と、排水口１０の後方側の開口縁に連なる後底面４は、緩やかに排水口１０に向けて下向き傾斜しており、各傾斜の下端が排水口１０に至る構成となっている。そのため、ボウル部１内の水は、排水時に、排水口１０に向かって流れる構成となっている。なお、底部２内面は前底面３と後底面４のみが排水口１０に向けて下向き傾斜したものに限らず、底部２内面全体が排水口１０に向けて下向き傾斜したものであってもよい。
【００１７】
そして、後底面４は後方開口縁１２周辺部が前底面３より上方に位置しており、該周辺部が便等の汚物４０を受けてボウル部１内の水の利用者（上方）への跳ね返りを防止する水跳ね防止部５となっている。該水跳ね防止部５は傾斜によって、受けた汚物４０を水跳ね防止部５の前方下方に位置する排水口１０に落下させる。
【００１８】
また、排水筒２０は略円筒形状となっており、円筒の一端である上流端が排水口１０を介してボウル部１内に連なり、他端である下流端が後方（側方）に開口してトラップ部３０に接続されている。そして、排水筒２０は内面のうち、排水口１０の前方開口縁１１に連なる面が、面一の連続面とならずに、前底面３に比べて大きい傾斜角を有して下流側に向けて下向き傾斜した傾斜面２１となっている。
【００１９】
この前底面３より急な傾斜面２１は、下端が平面視後方開口縁１２と並ぶ位置或いは後方開口縁１２より後方の位置にあり、該傾斜面２１は平面視排水口１０の下方全体に形成されている。そのため、傾斜面２１は、水跳ね防止部５から排水口１０へ落下した汚物４０を、傾斜面２１の下端である排水口１０の後方開口縁１２の下方或いは後方開口縁１２より後方に移動させる。
【００２０】
また、排水筒２０はトラップ部３０との接続部位である下流端が平面視水跳ね防止部５より後方に位置しており、該下流端と傾斜面２１の下端の間の下流内面２２は、傾斜面２１に比べて緩やかな傾斜角で且つ下流に向かって下向きの傾斜を有している。そして、下流内面２２の緩やかな傾斜角は、例えば、前底面３と略同じ傾斜角となっている。
【００２１】
該下流内面２２を具備したことで、傾斜面２１に落下して傾斜面２１に沿って移動した汚物４０が下流内面２２上または排水筒２０の下流端で止まる構成となり、汚物４０のトラップ部３０への衝突やトラップ部３０の回動への干渉を抑制している。なお、下流内面２２は、傾斜の無い略水平のものであってもよい。そして、トラップ部３０が傾斜面２１に沿って移動してきた汚物４０の影響を受け難いものであれば、傾斜面２１の下端が排水筒２０の下流端に至り下流内面２２を備えない構成としてもよい。
【００２２】
また、トラップ部３０は、外部の下水管（図示せず）に接続された排水室３１と、排水室３１内に配置され排水筒２０に一端が連通固定された円筒部３２と、排水室３１内で円筒部３２の他端側を回動させる回動機構部（図示せず）と、で主体が構成されている。そして、円筒部３２は排水筒２０に固定された一端が固定端となっているのに対して、他端が回動機構部の回動動作で円弧状の軌跡を描いて上下方向に動く自由端３３となっている。
【００２３】
そのため、トラップ部３０は、図１に示すように、自由端３３を上向きとした状態が、ボウル部１内等に水を溜めると共に下水管等からの異臭のボウル部１側への漏出を防止する封水状態となっている。そして、封水状態から自由端３３を回動させて、自由端３３を下向きとした状態が、ボウル部１及び排水部内の水や汚物４０を排水室３１を介して下水管に排出する排水状態となっている。
【００２４】
このように、本水洗便器は、傾斜面２１によって汚物４０を水跳ね防止部５の前下方位置より後方に移動させるため、従来のものに比べて、汚物４０を下流側に位置させることができる。
【００２５】
ところで、汚物４０排出時に、汚物４０の搬送距離は、下水管の形状や構成等の配管条件、また汚物４０の量や排水時に用いる洗浄水量等の影響を受ける。このうち洗浄水量の影響は、図３に示すように、下水管の配管条件や汚物４０の量を一定としたとき、搬送距離は汚物４０の位置を基準に汚物４０より上流側の水５１の量の影響を強く受けるものとなっており、上流側の水５１の量が多い程搬送距離が長くなる。
【００２６】
そして、本水洗便器は、ターントラップ式の従来のものに比べて、汚物４０の停留位置を下流側としたことで、ボウル部１内の洗浄水の貯留容積の増大等の行わなくても、汚物４０より上流側の水５１の量を増加させるものとなっている。つまり、汚物４０の上流側の水５１と下流側の水５２の両水量を合わせた排水時の洗浄水量を略変えずに、上流側の水５１の量を増加させている。そのため、トラップ部３０の節水機能や洗浄水による洗浄機能を略低下させずに略維持して、汚物４０の搬送距離を延ばすことができる。
【００２７】
また、上流側の水５１の量を増加させたことで、洗浄水供給部から供給する洗浄水の量を低減することも可能である。このものでは、低減した洗浄水量で、従来のものと略同様の搬送距離を維持することができ、上下回動式のトラップ部３０による節水機能を向上させることができる。
【符号の説明】
【００２８】
１  ボウル部
２  底部
３  前底面
４  後底面
５  水跳ね防止部
１０  排水口
１１  前方開口縁
１２  後方開口縁
２０  排水筒
２１  傾斜面
３０  トラップ部
４０  汚物
【図１】
2012172340.tif 000003
【図２】
2012172340.tif 000004
【図３】
2012172340.tif 000005